(57)【要約】      （修正有）【課題】頭部から取れ難い帽子が得られる帽子用シート基材を提供する。【解決手段】一枚の平面状の材料で、キャップ部と鍔部とバンド部とを備える。キャップ部には、当該キャップ部を頭部に被せられるように立体的に伸ばすための切れ目が多数設けられている。バンド部は、キャップ部の両側部の後端部からそれぞれ後方側に延びる一対の係止バンド片と、これら一対の係止バンド片のいずれか一方に設けられた係止突部と、この係止突部が挿入されて係止されると共に、一対の係止バンド片のいずれか他方にその長手方向に複数設けられて、係止突部との係止位置を変えて一対の係止バンド片の長さの調節を行える係止切込部とで構成する。【選択図】図５
0003143680.tif 000002
【実用新案登録請求の範囲】
【請求項１】
一枚の平面状の材料からなる帽子用シート基材であって、
キャップ部と鍔部とバンド部とを備え、
前記キャップ部には、当該キャップ部を頭部に被せられるように立体的に伸ばすための切れ目が多数設けられ、
前記バンド部は、前記キャップ部の両側部の後端部からそれぞれ後方側に延びる一対の係止バンド片と、これら一対の係止バンド片のいずれか一方に設けられた係止突部と、この係止突部が挿入されて係止されると共に、前記一対の係止バンド片のいずれか他方にその長手方向に複数設けられて、前記係止突部との係止位置を変えて前記一対の係止バンド片の長さの調節を行える係止切込部とで構成したことを特徴とする、帽子用シート基材。
【請求項２】
前記係止突部は、延出方向の略中央部から先端部にいくに連れて幅が狭く形成されていると共に、延出方向の後方側の後端部は、前記一方の係止バンド片の先端部より幅広の係止部として形成され、
前記係止切込部は、前記係止突部が挿入される第１係止切込部と、前記係止突部の係止部が係止される第２係止切込部とで形成されていることを特徴とする、請求項１に記載の帽子用シート基材。
【請求項３】
前記キャップ部の両側部には、折り曲げられて前記キャップ部を前記頭部に被せたときに当該頭部の両側部を覆う側覆部が前記一対の係止バンド片と一体的に形成されていることを特徴とする、請求項１又は２に記載の帽子用シート基材。
【請求項４】
前記キャップ部の中央部は、天板として形成され、この天板には、折曲可能に天窓片が設けられていることを特徴とする、請求項１〜３のいずれか１項に記載の帽子用シート基材。
【請求項５】
前記請求項１〜４のいずれか１項に記載の帽子用シート基材に、吊り下げ可能なフック片を設けたことを特徴とする、帽子用シート基材。
【請求項６】
前記請求項１〜５のいずれか１項に記載の帽子用シート基材を用いて作成されたことを特徴とする、帽子。
【考案の詳細な説明】
【技術分野】
【０００１】
本考案は、一枚のシート基材からなり頭部から取れ難い帽子を得る際に好適な帽子用シート基材並びにこのシート基材を用いて作成された帽子に関するものである。
【背景技術】
【０００２】
一枚のシート材料例えば紙製のシート基材からなる帽子は、コストが安く、収納性に優れているために、イベントや広告・宣伝等に用いられている。このような帽子の１つとして、例えば、実開昭６３−１７５１２４号公報（文献１ということがある。）に記載されているものが公知である。文献１に記載されている帽子は、裁断機により裁断された略楕円状（略小判状）のシート基材から作られる。シート基材は、一方の端部が鍔部として形成されていると共に、他方の端部が頭部に被せられるキャップ部として形成されてなる。このキャップ部には、円弧状の切れ目が多数設けられており、キャップ部の真ん中を手で押すことによって、キャップ部が立体的に伸びて、頭部を覆う帽子となる。また、キャップ部を頭部の上に載せた後にキャップ部を下方に引き下げることによって、キャップ部の切れ目が裂開してキャップ部が立体的に伸びて、帽子となる。
【考案の開示】
【考案が解決しようとする課題】
【０００３】
文献１に記載されている帽子は、シート基材のキャップ部の切れ目を裂開させてキャップ部が立体的に伸びることで帽子として機能するが、キャップ部を頭部に被せるだけでは頭部から帽子が取れやすく、また、キャップ部の大きさはすべて同じであるために、この帽子のサイズが合わない人にとっては、体を動かしたり風がふいたりすると簡単に頭部から帽子が取れてしまうという問題があった。
【０００４】
本考案は、前記課題を解決するためになされたものであって、その目的は、頭部から取れ難い帽子が得られる帽子用シート基材並びにこの帽子用シート基材を用いて作成された帽子を提供することにある。
【課題を解決するための手段】
【０００５】
前記の目的を達成するための本考案に係る帽子用シート基材は、一枚の平面状の材料からなる帽子用シート基材であって、キャップ部と鍔部とバンド部とを備え、前記キャップ部には、当該キャップ部を頭部に被せられるように立体的に伸ばすための切れ目が多数設けられ、前記バンド部は、前記キャップ部の両側部の後端部からそれぞれ後方側に延びる一対の係止バンド片と、これら一対の係止バンド片のいずれか一方に設けられた係止突部と、この係止突部が挿入されて係止されると共に、前記一対の係止バンド片のいずれか他方にその長手方向に複数設けられて、前記係止突部との係止位置を変えて前記一対の係止バンド片の長さの調節を行える係止切込部とで構成したことを特徴とする。
【０００６】
この考案によれば、切れ目を裂開させてキャップ部を伸ばすことにより、キャップ部を頭部に被せることができる。また、一方の係止バンド片の係止突部を他方の係止バンド片の係止切込部に挿入して係止させることで、この一対の係止バンド片で後頭部を覆うことができるので、頭部から帽子が取れ難くなる。また、係止突部と係止切込部との係止位置を変えて一対の係止バンド片の長さを調節できるので、頭の大きさが異なる人に対しても頭部から帽子を取れ難くすることが可能となる。
【０００７】
本考案に係る帽子用シート基材において、前記係止突部は、延出方向の略中央部から先端部にいくに連れて幅が狭く形成されていると共に、延出方向の後方側の後端部は、前記一方の係止バンド片の先端部より幅広の係止部として形成され、前記係止切込部は、前記係止突部が挿入される第１係止切込部と、前記係止突部の係止部が係止される第２係止切込部とで形成されていることが好ましい。また、本考案に係る帽子用シート基材において、前記キャップ部の両側部には、折り曲げられて前記キャップ部を頭部に被せたときに当該頭部の両側部を覆う側部片が前記一対の係止バンド片と一体的に形成されていることが好ましい。また、本考案に係る帽子用シート基材において、前記キャップ部の中央部は、天板として形成され、この天板には、折曲可能に天窓片が設けられていることが好ましい。また、本考案に係る帽子用シート基材において、吊り下げ可能なフック片を設けてもよい。
【０００８】
また、本考案に係る帽子は、前記の本考案に係る帽子用シート基材を用いて作成されたことを特徴とする。この考案によれば、前述と同様に、キャップ部と鍔部とバンド部とを備え、キャップ部には、当該キャップ部を頭部に被せられるように立体的に伸ばすための切れ目が多数設けられ、バンド部が、一対の係止バンド片と、一方の係止バンド片に設けられた係止突部と、この係止突部が挿入されて係止されると共に、他方の係止バンド片に複数設けられて、係止突部との係止位置を変えて一対の係止バンド片の長さの調節を行える係止切込部とで構成されたので、頭部から取れ難い帽子が得られる。
【考案の効果】
【０００９】
以上説明したように、本考案に係る帽子用シート基材並びに帽子によれば、キャップ部と鍔部とバンド部を備え、キャップ部には、当該キャップ部を頭部に被せられるように立体的に伸ばすための切れ目が多数設けられ、バンド部が、一対の係止バンド片と、一方の係止バンド片に設けられた係止突部と、この係止突部が挿入されて係止されると共に、他方の係止バンド片に複数設けられて、係止突部との係止位置を変えて一対の係止バンド片の長さの調節を行える係止切込部とで構成されたので、頭部から取れ難い帽子が得られる。
【考案を実施するための最良の形態】
【００１０】
以下、本考案に係る帽子用シート基材並びに帽子を添付図面に基づいて詳述する。
【００１１】
図１〜図３は本考案に係る帽子の一例を示す図である。図５は本考案に係る帽子用シート基材の一例を示す図である。本考案に係る帽子は、図１〜図３に示すように、キャップ部３と鍔部４とバンド部５とを備えた帽子用シート基材２から作成されるものである。すなわち、本考案に係る帽子１は、例えば、裁断機を用いて、一枚の平面状（シート状）の例えば紙基材を帽子の外形に裁断して帽子用シート基材２を作り、この帽子用シート基材２を所定の箇所で折り曲げると共に、キャップ部３を立体的に伸ばすことにより作成される。
【００１２】
帽子用シート基材２の材料としては、シート状で折曲可能なものであれば特に限定されず、紙基材、布基材、合成樹脂基材等が用いられ、例えば、紙基材が用いられる。帽子用シート基材２は、例えば、厚紙等の紙のみであってもよいが、表面に耐水・耐油性・耐摩性に優れた合成樹脂フィルムが設けられているもの等が好ましい。合成樹脂フィルムは、印刷やラミネート法により帽子用シート基材２に設けられるが、これらの方法に限定されず他の方法により設けるようにしてもよい。また、合成樹脂フィルムには、イベントや広告・宣伝等に応じた模様、文字、図柄等が含まれていてもよい。
【００１３】
帽子用シート基材２は、例えば、図５に示すように、一枚の平面状（シート状）の紙基材を帽子の外形に裁断機によって裁断して得られる。帽子用シート基材２は、キャップ部３と鍔部４とバンド部５とを備えてなる。鍔部４は、帽子用シート基材２の前部側に設けられている。鍔部４は、鍔部４として機能するならばその形状は特に限定されず、例えば、外形が円弧状、楕円弧状等どのように形成してもよく、図示例では、外形が略半円状に形成されている。この鍔部４より後方側までの帽子用シート基材２がキャップ部３として形成されている。鍔部４とキャップ部３との境には、円弧状の折曲部２５が設けられている。折曲部２５は、例えば、折り曲げ易くなるように断面凹状に形成してもよい。
【００１４】
キャップ部３には、多数の切れ目３１が設けられており、これら切れ目３１は、例えば、帽子用シート基材２を裁断する際に形成される。これら切れ目３１が裂開してキャップ部３が立体的に伸びることで（図１〜図３参照。）、帽子用シート基材２が帽子として機能するようになっている。切れ目３１は、裂開してキャップ部３が立体的に伸びて帽子用シート基材２が帽子として機能するならば、特に限定されず、例えば、円弧状の切れ目３１がその周方向に間隔を隔てて複数設けられ、これら複数の切れ目３１の裂（切れ目列ということがある。）が、その径方向に間隔を空けて例えば８列設けられ、これら８列の切れ目列が、内側又は外側の切れ目３１の間に切れ目３１の略中央部が位置されるように、すなわち、内側の切れ目列と外側の切れ目列とが互い違いに配置されているようにしてもよい。また、これら切れ目列の後方側は、図示例では直線状に形成されているが、これに限定されるものではない。また、キャップ部３には、側覆部６の折曲を容易にする切れ目３８やその他の切れ目３９を設けるようにしてもよい。
【００１５】
また、切れ目３１は、キャップ部３の中央部まで設けるようにしてもよいが、図示するように、キャップ部３の中央部に天板３２が形成されるように設けるようにしてもよい。天板３２には、折曲可能に天窓片３３が設けられている。天板３２の前部側には、帽子用シート基材２の前後方向と略直交する延びる直線状で例えば断面凹状の折曲部３４が設けられている。この折曲部３４の両端部から例えば円弧（図示例では優弧）状の天窓切込部３５が設けられて、折曲可能に天窓片３３が形成されている。また、キャップ部３の後方側の略中央部には、後方側に延びるフック片９が設けられている。このフック片９により、帽子用シート基材２から得られた帽子１を使用した後に吊り下げて支持することができる。
【００１６】
バンド部５は、キャップ部３の両側部の後端部からそれぞれ後方側に延びる一対の係止バンド片５１，５２と、これら一対の係止バンド片５１，５２のいずれか一方に設けられた係止突部５３と、この係止突部５３が挿入されて係止されると共に、一対の係止バンド片５１，５２のいずれか他方にその長手方向に複数設けられた係止切込部５４とで構成されている。一対の係止バンド片５１，５２は、キャップ部３の両側部の後端部からそれぞれ後方側に延び、キャップ部３を伸ばして頭に被せたときに一対の係止バンド片５１，５２が後頭部を覆う長さに形成されている。
【００１７】
一対の係止バンド片５１，５２のいずれか一方の係止バンド片、例えば、右側の係止バンド片（第１係止バンド片５１ということがある。）の先端部には、図４及び図５にしめすように、係止突部５３が設けられている。第１係止バンド片５１の先端部は、先端部にいくに連れて幅が狭く形成され、この幅が狭くなった端部に係止突部５３が設けられている。係止突部５３は、例えば、第１係止バンド片５１の先端部より幅が広い矩形状で、この矩形状の略中央部から延出方向の先端部にいくに連れて幅が狭く形成されている。すなわち、係止突部５３の略中央部から先端部の両側部には、それぞれ傾斜部５３ａが設けられて係止切込部５４に挿入し易いように略台形状に形成されている。係止突部５３の後端部は、第１係止バンド片５１の先端部より幅が広く、係止切込部５４に挿入されたときに係止切込部５４に係止する係止部５５として形成されている。
【００１８】
また、一対の係止バンド片５１，５２のいずれか他方の係止バンド片、例えば、左側の係止バンド片（第２係止バンド片５２ということがある。）には、その長手方向に間隔を空けて係止切込部５４が複数例えば４つ設けられている。係止切込部５４の数は、４つに限定されず、１〜３つ又は５つ以上であってもよい。係止切込部５４は、係止突部５３が挿入されて係止されるならばどのように形成してもよい。係止切込部５４は、例えば、係止突部５３の幅（係止突部５３の幅が最も広い箇所の幅）より若干長い寸法の直線状に切れ込みを第２係止バンド片５２に入れて形成してもよいが、係止突部５３が挿入される第１係止切込部５６と、係止突部５３の係止部５５が係止される第２係止切込部５７とで形成されている。
【００１９】
第１係止切込部５６は、例えば、間隔を空けて直線状に２つの第１切れ込み５６ａを入れることによって形成される。これら２つの第１切れ込み５６ａの間（２つの第１切れ込み５６ａの内側端部（他方の第１切れ込み５６ａに近い側の端部）の間）の長さは、第１係止バンド片５１の先端部（係止突部５３が接続されている箇所）の長さより短い寸法で形成されている。また、第１係止切込部５６の全体（２つの第１切れ込み５６ａの外側端部（他方の第１切れ込み５６ａから離れた側の端部）の間）の長さは、係止突部５３の幅（係止突部５３の幅が最も広い箇所の幅）より広い例えば若干広い寸法で形成されている。
【００２０】
第２係止切込部５７は、２つの第１切れ込み５６ａより第２係止バンド片５２の延出方向前方側であって第１切れ込み５６ａと略平行に直線状に入れた切り込みによって形成されている。第２係止切込部５７の長さは、第１係止バンド片５１の先端部の長さより若干長い寸法で形成されている。第２係止切込部５７の両端部は、２つの第１切れ込み５６ａの略中央部の延出方向前方側にそれぞれ位置され、この両端部が、２つの第１切れ込み５６ａの略中央部にそれぞれ切り込みによって連結されている。これにより、係止切込部５４は、係止突部５３が挿入される第１係止切込部５６と、係止突部５３の係止部５５が係止される第２係止切込部５７とで形成されることになり、係止突部５３を係止切込部５４に挿入して係止突部５３の係止部５５を係止切込部５４の第２係止切込部５７（実際には第２係止切込部５７を形成する縁部（第２係止バンド片５２））に係止させることで一対の係止バンド片５１，５２が互いに係止されるようになっている（図４参照。）。
【００２１】
また、キャップ部３の両側部には、例えば断面凹状の折曲部２６を介して側覆部６がそれぞれ設けられている。側覆部６の前方側は、鍔部４に連設されていると共に、後方側は、一対の係止バンド片５１，５２と一体的に形成されている。これら側覆部６は、当該側覆部６を折曲部２６を介して折り曲げてキャップ部３を頭部に被せたときに頭部の両側部を覆うように形成されている。なお、図２〜図５中、符号２８は一対の係止バンド片５１，５２の折曲を容易に行えたりする貫通部を示している。
【００２２】
この帽子用シート基材２を帽子１として使用するには、キャップ部３の真ん中を手で他のキャップ部３に対して押すことによって、図１〜図３に示すように、キャップ部３が立体的に伸びる。また、両側覆部６を折曲部２６を介して折り曲げる。これにより、帽子用シート基材２を帽子１として使用することができる。すなわち、この帽子１のキャップ部３を頭部に被せ、右手で第１係止バンド片５１を掴むと共に、左手で第２係止バンド片５２を掴み、第１係止バンド片５１の係止突部５３を第２係止バンド片５２の係止切込部５４に挿入して係止させる。また、予め第１係止バンド片５１の係止突部５３を第２係止バンド片５２の係止切込部５４に挿入して係止させてから、キャップ部３を頭部に被せるようにしてもよい。
【００２３】
このように、キャップ部３を頭部に被せると共に、一対の係止バンド片５１，５２で後頭部を覆うので、帽子１が頭部から取れ難くなる。また、係止突部５３を係止切込部５４に挿入して係止させるとき、係止突部５３は、先端部にいくに連れて幅が狭く形成されているので係止切込部５４に挿入し易い。このため、係止突部５３の係止切込部５４への係止を容易に行うことができる。また、係止突部５３と係止切込部５４との係止を確実に行うことができ、係止突部５３が係止切込部５４から抜け出ることがない。すなわち、係止突部５３を係止切込部５４に挿入するとき、最初は、第１係止切込部５６及び第２係止切込部５７の全体を介して係止突部５３を挿入する。この挿入は、第２係止バンド片５２の先端部から後方側に第２係止バンド片５２の表面を沿うように行う。係止突部５３が第１係止切込部５６及び第２係止切込部５７を貫通すると、第１係止バンド片５１の先端部が第１係止切込部５６及び第２係止切込部５７に挿入された状態となる。この第１係止バンド片５１の先端部が第２係止切込部５７内に位置されるように、例えば、第１係止バンド片５１を移動する。これにより、係止突部５３の係止部５５が第２係止切込部５７を形成する縁部（第２係止バンド片５２）に係止するので（特に図４参照。）、係止突部５３が係止切込部５４から抜け出ることがなくなる。このため、一対の係止バンド片５１，５２の長さを常に同じ状態に保持することができる。また、第１係止バンド片５１の先端部が第１係止切込部５６内に位置されていても、係止突部５３の係止部５５が第１係止切込部５６を形成する縁部（第２係止バンド片５２）に係止するので、係止突部５３が係止切込部５４から容易に抜け出ることがない。この抜け出は、第１係止切込部５６の全体の長さが係止突部５３の幅に近づけば近づくほど抜け難くなる。
【００２４】
また、一対の係止バンド片５１，５２の長さが頭部のサイズに合わない場合には、係止突部５３を係止させている係止切込部５４から係止を解除して抜き取る。すなわち、第１係止バンド片５１の先端部を第１係止切込部５６内に位置させてから、係止切込部５４の両係止部５５をそれぞれ２つの第１切れ込み５６ａに対向させ、この係止切込部５４を両係止部５５がそれぞれ第１切れ込み５６ａを同時に通過するように移動させることにより、係止突部５３を係止切込部５４から抜き取れる。そして、この抜き取った係止突部５３を別の係止切込部５４に挿入して係止させる。これにより、一対の係止バンド片５１，５２の長さを調節することができ、頭の大きさが異なる人に対しても頭部から帽子１を取れ難くすることができる。
【００２５】
また、キャップ部３の天板３２の天窓片３３を折り曲げることにより、天窓片３３がキャップ部３に対して立ち上がるので、天窓片３３が目立つ。このため、天窓片３３の表面にイベントや広告・宣伝を表示する模様、文字、図柄等が表示されている場合には、宣伝効果に優れたものとなる。また、天窓片３３が折り曲げられることにより天板３２の中央部に開口部３６が形成されることになる。この開口部３６が頭部の頂部に着座するので、頭部から帽子１が一層取れ難くなる。すなわち、キャップ部３の天板３２が平面状に形成されていると、天板３２が頭部の頂部に当って頭部上で帽子が前後左右に動き易く不安定となり、頭部から帽子が取れ易くなるが、天板３２に開口部３６が設けられていると、この開口部３６が頭部の頂部に着座するので、頭部から帽子１が一層取れ難くなる。
【００２６】
また、キャップ部３の両側部には、折曲部２６を介して側覆部６がそれぞれ設けられているために、これら側覆部６が側頭部を覆うので、頭部から帽子１がより一層取れ難くなると共に、他の紙基材を折り曲げて作成した帽子とは異なり美観も優れたものとなる。また、フック片９が設けられていることで、使用後等、帽子１を吊り下げることができるので、帽子１を収納・管理し易くなる。
【産業上の利用可能性】
【００２７】
以上説明したように本考案に係る帽子用シート基材は、キャップ部と鍔部とバンド部とを備え、キャップ部には、当該キャップ部を頭部に被せられるように立体的に伸ばすための切れ目が多数設けられ、バンド部が、一対の係止バンド片と、一方の係止バンド片に設けられた係止突部と、この係止突部が挿入されて係止されると共に、他方の係止バンド片に複数設けられて、係止突部との係止位置を変えて一対の係止バンド片の長さの調節を行える係止切込部とで構成されたので、頭部から取れ難くなる帽子が得られることから、紙製の帽子のシート基材として好適に用いられるものである。
【図面の簡単な説明】
【００２８】
【図１】本考案に係る帽子の一例を示す斜視図である。
【図２】本考案に係る帽子の一例を示す斜視図である。
【図３】本考案に係る帽子の一例を示す側面図である。
【図４】本考案に係る一対の係止バンド片の係合状態を裏面から見た一例を示す斜視図である。
【図５】本考案に係る帽子用シート基材の一例を示す平面図である。
【符号の説明】
【００２９】
１  帽子
２  帽子用シート基材
３  キャップ部
４  鍔部
５  バンド部
６  側覆部
９  フック片
３１  切れ目
３２  天板
３３  天窓片
５１  第１係止バンド片
５２  第２係止バンド片
５３  係止突部
５４  係止切込部
５５  係止部
５６  第１係止切込部
５７  第２係止切込部
【図１】
0003143680.tif 000003
【図２】
0003143680.tif 000004
【図３】
0003143680.tif 000005
【図４】
0003143680.tif 000006
【図５】
0003143680.tif 000007